(57)【要約】【課題】  装置の小型化及び低コスト化を実現し、汎用性に優れたマイナスイオン風発生方法及び発生装置を提供する。【解決手段】  マイナスイオン風発生装置１０を、金属製の円筒体からなる容器１と、容器１内部の長さ方向中央部に設けられ、複数の貫通孔２Ａを有する金属製の円板（吐出圧力及び吐出温度の調節手段）２と、を備えた構成とする。そして、送風ブロア２０から容器１の内部に送り込まれた空気を、所定の吐出圧力（例えば、３０Ｋｐａ以上１５０Ｋｐａ以下）及び吐出温度（４０℃以上２５０℃以下）に調節しつつ、円板２の貫通孔２Ａを通過させることで、マイナスイオン風を発生させる。【選択図】  図１
2009289561.tif 000002
【特許請求の範囲】
【請求項１】
空気の吐出圧力及び吐出温度を調節することにより、マイナスイオン風を発生させることを特徴とするマイナスイオン風発生方法。
【請求項２】
前記吐出圧力は、３０Ｋｐａ以上１５０Ｋｐａ以下の範囲に調節するとともに、前記吐出温度は、４０℃以上２５０℃以下の範囲に調節することを特徴とする請求項１に記載のマイナスイオン風発生方法。
【請求項３】
容器内に封入させた空気の吐出圧力及び吐出温度を調節する調節手段を備えたことを特徴とするマイナスイオン風発生装置。
【請求項４】
前記調節手段は、複数の貫通孔を有する平板を、その貫通方向が前記空気の流出方向と同一になるように前記容器の内部及び外部の少なくとも一部に設けることで構成されていることを特徴とする請求項３に記載のマイナスイオン風発生装置。
【請求項５】
前記平板を前記容器の内部に設けて、前記容器の内部に前記平板で仕切られた二つの空間を形成するとともに、前記二つの空間を連結させる配管を前記容器の外部に設け、前記配管の一部に、前記空気の吐出圧力及び吐出温度を調節する補助調節手段を備えたことを特徴とする請求項４に記載のマイナスイオン風発生装置。
【請求項６】
前記容器の内部又は外部に、防音手段を備えたことを特徴とする請求項３から５のいずれかに記載のマイナスイオン風発生装置。
【発明の詳細な説明】
【技術分野】
【０００１】
本発明は、マイナスイオン風発生方法及び発生装置に関するものである。
【背景技術】
【０００２】
近年、生活環境はテレビ、冷蔵庫、電子レンジ、携帯電話およびエアコン等の電気・電子機器が多数使用され、これらより大量の電磁波が発生すると同時にプラスイオンも増加している。これらは全て有害であり、体の中に入ると体液を酸化させ、抵抗力を弱めたりしてさまざまな心身の不調や自律神経の失調をきたす要因となっている。そのため生活環境を自然界の森林や滝の近辺状態と同様のマイナスイオン効果を得るためにマイナスイオンを多く発生させる努力がなされ、かつマイナスイオン発生技術が種々提案されている。
【０００３】
マイナスイオン発生技術の発生方式としては、電極間に印加した直流電圧が放電開始電圧以上になるとマイナス極よりプラス電極に向かって電子が放出され、周囲のガス分子に衝突してコロナ放電に移行する。この際に極間に残存した電子が空気中の酸素分子や水分と反応して水と酸素のマイナスイオンが形成されるコロナ放電方式、また針状に尖らせたマイナス電極にパルス性の高電圧を印加して空気中に直接電子を放出させ、周りの酸素や水分と結合させてマイナスイオンを形成するようにした電子放射方式、また水を噴出させて小さな水滴をマイナスに、大きな水滴をプラスに帯電させるようにした水破砕方式等が知られている。
【０００４】
さらにはこれら以外の技術として特許文献１に開示されているように、ケーシングの内部に送風ファンと超音波加湿器とＵＶＬＥＤと変換器と吸入ファンと蛇腹管とを備え、送風ファンからの空気を加湿器の水蒸気をＵＶＬＥＤを照射した変換器に通過させ、蛇腹管を経て送出される水素や酸素を含む気体をマイナスイオン化するマイナスイオン発生装置が提案されている。
【特許文献１】特開２００５−２４９２２４号  公報
【発明の開示】
【発明が解決しようとする課題】
【０００５】
しかしながら、上述した特許文献１に記載のマイナスイオン発生装置においては、超音波加湿器やＵＶＬＥＤや変換器等が必要となり発生装置自体が大型で且つ高価であるため、装置の小型化や低コスト化を実現し、汎用性を向上させるという点で更なる改善の余地があった。
【０００６】
そこで、本発明は上記事情に鑑みてなされたものであり、装置の小型化及び低コスト化を実現し、汎用性に優れたマイナスイオン風発生方法及び発生装置を提供することを目的としている。
【課題を解決するための手段】
【０００７】
このような課題を解決するために本発明者らは、自ら発明した暖房装置（特願２００６−２９８３１５号参照）を用いて空気を圧縮することで発生させた熱風について、サーモグラフィ等により鋭意研究を重ねた結果、この熱風の発生条件を適宜変更することでマイナスイオン風が発生することを見出し、本発明をなすに至った。
【０００８】
すなわち、上記課題を解決するために本発明のマイナスイオン風発生方法は、空気の吐出圧力及び吐出温度を調節することにより発生する熱衝撃波で、水分子の固有振動数と共振する共鳴電磁波を発生させ、空気中の水分子の水素結合を分離させ、水素原子から電子を放出することにより、マイナスイオン風を発生させるようにしたものである。従ってコロナ放電方式、電子放射方式、水破砕方式等の電子放射技術や水破砕技術等を用いずに空気の吐出圧力及び吐出温度を調節することでマイナスイオン風を発生させるようにしたため、小型装置を用いて低コストで効率よくマイナスイオン風を発生させる作用を有することとなる。
【０００９】
また本発明の第２のマイナスイオン風発生方法は、前記吐出圧力は３０Ｋｐａ以上１５０Ｋｐａ以下の範囲に調節するとともに、前記吐出温度は４０℃以上２５０℃以下の範囲に調節するようにしたものである。従ってマイナスイオン風を効率よく発生させる作用を有する。
【００１０】
また本発明の第３のマイナスイオン風発生装置は、容器内に封入させた空気の吐出圧力及び吐出温度を調節する調節手段を備えた構成としたものである。従って装置の小型化及び低コスト化を実現しつつ効率よくマイナスイオン風を発生させる作用を有することとなる。
【００１１】
また本発明の第４のマイナスイオン風発生装置は、前記調節手段は複数の貫通孔を有する平板を、その貫通方向が前記空気の流出方向と同一になるように前記容器の内部及び外部の少なくとも一部に設けることで構成されている構成としたものである。従って上記と同様に装置の小型化及び低コスト化を実現しつつ効率よくマイナスイオン風を発生させる作用を有する。
【００１２】
また本発明の第５のマイナスイオン風発生装置は、前記平板を前記容器の内部に設けて、前記容器の内部に前記平板で仕切られた二つの空間を形成するとともに、前記二つの空間を連結させる配管を前記容器の外部に設け、前記配管の一部に、前記空気の吐出圧力及び吐出温度を調節する補助調節手段を備えた構成としたものである。従って空気の吐出圧力及び吐出温度をより効率よく微調節することが可能となるため、より効率よくマイナスイオン風を発生させる作用を有することとなる。
【００１３】
また本発明の第６のマイナスイオン風発生装置は、前記容器の内部又は外部に防音手段を備えた構成としたものである。従って空気の送風により発生する運転音を吸収する作用を有する。
【発明の効果】
【００１４】
本発明に係るマイナスイオン風発生方法によれば、小型装置を用いて、低コストで効率よくマイナスイオン風を発生させることができる。また、本発明に係るマイナスイオン風発生装置によれば、装置の小型化及び低コスト化を実現でき、優れた汎用性が得られる。
【発明を実施するための最良の形態】
【００１５】
以下、本発明の実施形態について図面を参照しながら詳細に説明する。
図１は、本発明に係るマイナスイオン風発生装置の一例を示し、（ａ）は一部断面概略図、（ｂ）は図１（ａ）の円板を示す平面図である。
【００１６】
このマイナスイオン風発生装置１０は、図１（ａ）に示すように、公知の送風ブロア２０から空気を取り込み、この空気の吐出圧力及び吐出温度を調節することで、空気中の水分子の固有振動数と共振する共鳴電磁波を発生する最適の熱衝撃波を発生させ、空気中の水分子の水素結合を分離させ、水素原子から電子を放出することにより、マイナスイオン風を発生させるように構成されている。
すなわち、マイナスイオン風発生装置１０は、金属製の円筒体からなる容器１と、容器１の内部であって、長さ方向中央部に設けられた金属製の円板（吐出圧力及び吐出温度の調節手段）２と、容器１の外部に設けられ、円板２により容器１の内部に形成された二つの空間１１，１２を連結させる配管３とを備えている。
【００１７】
容器１をなす円筒体は、その長さ方向一端部に送風ブロア２０から空気が送り込まれる入口１Ａが設けられ、その長さ方向他端部に容器１の外部にマイナスイオン風を放出する出口１Ｂが設けられている。そして、入口１Ａと送風ブロア２０との間は配管３０で接続されているとともに、出口１Ｂには、容器１の外部にマイナスイオン風を放出させるための配管４０が接続されている。
【００１８】
ここで、各配管３０，４０には、それぞれ調節バルブ３０Ａ，４０Ａが設けられており、空気の流入量やマイナスイオン風の放出量が調節できるように構成されている。
また、容器１の内部には、金属製の線状部材が巻きつけられてなるサイレンサー（防音手段）４が充填されている。
さらに、容器１の長さ方向両端部には、容器１の外径よりも大きな円筒状で且つ金属製のフランジ部１３が一体成形により設けられている。
【００１９】
円板２は、図１（ｃ）に示すように、その厚さ方向に貫通する複数の貫通孔２Ａを有し、その貫通孔２Ａの貫通方向と空気の流出方向とが同一となるように、容器１内部の長さ方向中央部に立てて配置されている。なお、円板２に形成する貫通孔２Ａの個数や孔径は、容器１の寸法や、空気の吐出圧力及び吐出温度の調節範囲に応じて、適宜変更可能である。
そして、この円板２の貫通孔２Ａを通過する空気の吐出圧力及び吐出温度を調節することで、マイナスイオン風を発生させるように構成されている。
【００２０】
配管３の一部には、容器１の内部に形成された二つの空間１１，１２に封入された空気の温度や圧力を調節し、円板２の貫通孔２Ａを通過する空気の吐出圧力及び吐出温度を微調節するための調節バルブ（補助調節手段）３Ａを備えている。
【００２１】
次に、このマイナスイオン風発生装置１０を用いて、マイナスイオン風を発生させる方法について説明する。
まず、送風ブロア２０から、配管３０及び入口１Ａを経て、マイナスイオン風発生装置１０をなす容器１の内部に送り込む。
【００２２】
次に、容器１の内部に封入された空気を、所定の吐出圧力（例えば、３０Ｋｐａ以上１５０Ｋｐａ以下）及び吐出温度（４０℃以上２５０℃以下）に調節しつつ、円板２の貫通孔２Ａを通過させることで、マイナスイオン風を発生させる。つまり、円板２の貫通孔２Ａを通過した後の空気が封入される空間１２にはマイナスイオン風が存在する。これは加熱圧縮された高圧空気が円板２の貫通孔２Ａを通過した際にジェット気流となって急激に拡散するため、空気中の水分子の固有振動数と共振すると推測される共鳴電磁波が発生し、空気中の水分子を共振させて水素結合を分離させ、水素原子から放出された電子を窒素の外郭に取り込んでマイナスイオン化されるものと考えられる。そして、容器１の出口１Ｂから配管４０を経て、適宜マイナスイオン風を放出させる。
【００２３】
放出されたマイナスイオン風をマイナスイオン測定器（アンデス電気株式会社製空気イオンカウンター（ＩＴＣ−２０１Ａ））で測定したところ、通常運転時の吐出し圧力が８０ＫＰａで装置の吹き出し口より５ｍの位置で１７６０個／ｃｃのマイナスイオンが検出された。この測定器によれば、吹き出し口近辺での測定は数値が高すぎて測定不能なため少し離れた位置での測定になった。同様に調節バルブ３Ａを開いた状態の吐出し圧力が２０ＫＰａの時は７６０個／ｃｃのマイナスイオンが検出された。比較のため装置近辺の植栽近くで測定したところ１６０〜２００個／ｃｃのマイナスイオンが検出された。なお念のため事務所内を測定したところ０（ゼロ）に近い状態であった。
【００２４】
すなわち、本実施形態のマイナスイオン風発生方法によれば、コロナ放電方式、電子放射方式、水破砕方式等の電子放射技術や水破砕技術等を用いずに、空気の吐出圧力及び吐出温度を調節することでマイナスイオン風を発生させることができるため、小型装置を用いて、低コストで効率よくマイナスイオン風を発生させることができる。
【００２５】
また、本実施形態のマイナスイオン風発生装置１０によれば、装置の小型化及び低コスト化を実現でき、優れた汎用性が得られる。
さらに、本実施形態のマイナスイオン風発生装置１０によれば、空気の吐出圧力及び吐出温度の調節手段として、複数の貫通孔２Ａを有する円板２を用いたことにより、装置の小型化及び低コスト化を実現しつつ、効率よくマイナスイオン風を発生させることができる。
【００２６】
さらに、本実施形態のマイナスイオン風発生装置１０によれば、円板２を容器１の内部に設けて、容器１の内部に円板２で仕切られた二つの空間を形成するとともに、二つの空間を連結させる配管３を容器１の外部に設け、この配管３の一部に、空気の吐出圧力及び吐出温度を調節する調節バルブ３Ａを設けたことにより、空気の吐出圧力及び吐出温度をより効率よく微調節することが可能となるため、より効率よくマイナスイオン風を発生させることができる。
【００２７】
さらに、本実施形態のマイナスイオン風発生装置１０によれば、容器１の内部に金属製の線状部材からなるサイレンサー４を充填させたことにより、空気の送風による運転音を吸収できるため、より優れた汎用性が得られる。
【００２８】
なお、本実施形態においては、空気の吐出圧力及び吐出温度を調節するための調節手段として、複数の貫通孔２Ａを有する円板２を容器１の長さ方向中央部に設けた場合について説明したが、円板２の設置場所はこれに限らず、適宜変更可能である。例えば、円板２を、容器１の入口１Ａ近傍に設けてもよいし、容器１の出口１Ｂ近傍に設けてもよいし、或いは、容器１の外部に設けてもよい。
【００２９】
また、本実施形態においては、防音手段として、金属製の線状部材からなるサイレンサー４を容器１の内部に充填した場合について説明したが、防音手段はこれに限らず、適宜変更可能である。例えば、容器１の内部又は外部に、公知の発砲スチロール材等の吸音素材からなる防音壁を形成してもよい。
【図面の簡単な説明】
【００３０】
【図１】本発明に係るマイナスイオン風発生装置の一例であり、（ａ）は一部断面概略図、（ｂ）は図１（ａ）の円板を示す平面図である。
【符号の説明】
【００３１】
１    容器
２    円板（空気の吐出圧力及び吐出温度の調節手段）
３    配管
３Ａ  調節バルブ（補助調節手段）
４    サイレンサー（防音手段）
１０    マイナスイオン風発生装置
２０    送風ブロア
３０，４０    配管
【図１】
2009289561.tif 000003